(57)【特許請求の範囲】
【請求項１】
バッテリーの充電制御を行う充電制御ユニットと、１セグメントの地上デジタル放送（ワンセグ）受信機能と１２セグメントの地上デジタル放送（フルセグ）受信機能とを持つ地上波デジタル放送受信ユニットと、を有する可搬型携帯機器と、
前記可搬型携帯機器と接続して使用する卓上ホルダー機器と、
を有する受信システムにおいて、
前記卓上ホルダー機器はＢ−ＣＡＳカード用のカードスロットを持ち、地上デジタル放送受信機能が選択された場合に前記充電制御ユニットから得られる情報により、前記バッテリーユニットが、放電中の場合は、前記ワンセグ受信機能による受信動作を選択し、それ以外の場合は、前記フルセグ受信機能による受信動作を選択する
ことを特徴とする可搬型携帯機器および卓上ホルダー機器を有する受信システム。
【請求項２】
バッテリーの充電制御を行う充電制御ユニットと、１セグメントの地上デジタル放送（ワンセグ）受信機能と１２セグメントの地上デジタル放送（フルセグ）受信機能を持つ地上波デジタル放送ユニットと、を有する可搬型携帯機器と、
前記可搬型携帯機器と接続して使用する卓上ホルダー機器と、
を有する受信システムにおいて、
前記卓上ホルダー機器はＢ−ＣＡＳカード用のカードスロットを持ち、地上デジタル放送受信機能が選択された場合に前記充電制御ユニットから得られる情報により、前記バッテリーユニットが、放電中の場合または前記Ｂ−ＣＡＳカードの情報が取得できない場合は、前記ワンセグ受信機能による受信動作を選択し、それ以外の場合は、前記フルセグ受信機能による受信動作を選択する
ことを特徴とする可搬型携帯機器および卓上ホルダー機器を有する受信システム。
【請求項３】
請求項１または２に記載の可搬型携帯機器および卓上ホルダー機器を有する受信システムにおいて、
前記地上波デジタル放送受信ユニットは、ワンセグ受信用内蔵アンテナとフルセグ受信用アンテナの切換機能を持ち、
前記卓上ホルダー機器は、フルセグ受信用アンテナ端子と、可搬型携帯機器との間で前記フルセグ受信用アンテナから受信した信号を中継する中継端子と、を持ち、
地上デジタル放送受信機能が選択された場合に前記充電制御ユニットから得られる情報により、前記バッテリーユニットが、放電中の場合または前記Ｂ−ＣＡＳカードの情報が取得できない場合は、前記ワンセグ受信機能による受信動作を選択する共に前記ワンセグ受信用内蔵アンテナに切り替えて動作し、それ以外の場合は、前記フルセグ受信機能による受信動作を選択する事と共に前記フルセグ受信用アンテナに切り替えて動作する
ことを特徴とする可搬型携帯機器および卓上ホルダー機器を有する受信システム。
【請求項４】
請求項１〜３のいずれか１項に記載の可搬型携帯機器および卓上ホルダー機器を有する受信システムにおいて、
前記卓上ホルダー機器は、映像出力端子と、前記可搬型携帯機器との間で、映像出力を中継する映像出力用中継端子を持ち、
地上デジタル放送受信機能が選択された場合に前記充電制御ユニットから得られる情報により、前記バッテリーユニットが、放電中の場合は、前記映像出力用中継端子を停止するよう動作し、それ以外の場合は、前記映像出力用中継端子を有効にして動作する
ことを特徴とする可搬型携帯機器および卓上ホルダー機器を有する受信システム。
【請求項５】
請求項１〜３のいずれか１項に記載の可搬型携帯機器および卓上ホルダー機器を有する受信システムにおいて、
前記可搬型携帯機器は、グローバル・ポジショニング・システム（ＧＰＳ）ユニットを持つ
ことを特徴とする可搬型携帯機器および卓上ホルダー機器を有する受信システム。
【請求項６】
バッテリーの充電制御を行う充電制御ユニットと、１セグメントの地上デジタル放送（ワンセグ）受信機能と１２セグメントの地上デジタル放送（フルセグ）受信機能を持つ地上波デジタル放送ユニットと、Ｂ−ＣＡＳカード用のカードスロットと、を有する可搬型携帯機器と、
前記可搬型携帯機器と接続して使用する卓上ホルダー機器と、
を有する受信システムにおいて、
地上デジタル放送受信機能が選択された場合に前記充電制御ユニットから得られる情報により、前記バッテリーユニットが、放電中の場合は、前記ワンセグ受信機能による受信動作を選択し、それ以外の場合は、前記フルセグ受信機能による受信動作を選択する
ことを特徴とする可搬型携帯機器および卓上ホルダー機器を有する受信システム。
【発明の詳細な説明】
【技術分野】
【０００１】
本発明は、地デジ受信機能を有する可搬型携帯機器および、卓上ホルダー機器のワンセグ、フルセグの切換制御の動作に関するものである。
【背景技術】
【０００２】
近年、携帯電話、及び、情報機器の普及、高機能化により、地デジの受信機能の搭載が一般的に行われている。また、このような携帯電話、及び、情報機器では、可搬型である為、卓上ホルダーに可搬型携帯機器を置く事で、簡単にバッテリーの充電が行えるようになってものや、音声を卓上ホルダーのスピーカで聞けるようにしたものが提案されている。
【０００３】
【特許文献１】特開２００３−１０１６１８号公報
【発明の開示】
【発明が解決しようとする課題】
【０００４】
一般に、携帯電話、及び、情報機器の普及、高機能化により、地デジの受信機能の搭載が一般的に行われているが、これらの機器には、卓上ホルダーと呼ばれる、バッテリーユニットへの充電を目的とした機器が付属されている。
【０００５】
図１０は従来の技術による地上デジタル放送対応可搬型携帯機器および、卓上ホルダー機器の実施形態である。図１０のシステムは、携帯電話部２１と、携帯電話用卓上ホルダー部２２から構成されている。図１０のシステムにおいて、携帯電話部２１は、無線通信ユニット１、通信用内蔵アンテナ２、地デジユニット３、地デジ用内蔵アンテナ４、音声入出力ユニット５、キー入力ユニット６、ＣＰＵ７、ＲＡＭ８、プログラムＲＯＭ９、表示ユニット１０、蓄積用メモリ１１、ＩＯユニット１２、バッテリーユニット１３、充電制御ユニット１４から構成されており、ＣＰＵ６を中心に各メモリやユニットが接続されている。
【０００６】
携帯電話用卓上ホルダー部２２は、バッテリー接続コネクタ部１８、電源接続コネクタ部１９より構成されている。図１０は、一般的な携帯電話のシステム構成図を示したものであり、プログラムＲＯＭ９の内容をＣＰＵ７がＲＡＭ８上にロードし、ロードされたプログラムＲＯＭ９のアプリケーションプログラムが、ＣＰＵ７で処理、実行され、それぞれ必要に応じて、接続されたユニットを制御する構成としている。
【０００７】
一般に、携帯電話における地デジ対応は、ワンセグ受信により行われており、前記アプリケーションプログラムの動作中に、ユーザがキー入力ユニット６を操作することで、携帯電話機能や、ワンセグ受信機能を選択、実行することが行えるようになっている。
【０００８】
一方、これらの携帯電話でフルセグ受信を行うためには、図１０中の地デジユニット３をワンセグ受信・フルセグ受信の両方に対応したものにする必要があるが、フルセグ受信のためには、放送波がスクランブル（かく乱）処理されて放送されているため、Ｂ−ＣＡＳカードと呼ばれるスクランブル処理を解くための専用カードが必要となる。
【０００９】
また、現状、Ｂ−ＣＡＳカードは、一般的な携帯電話より大きな形状のため、Ｂ−ＣＡＳカードを携帯電話に格納するようにすると、携帯電話の物理的形状がＢ−ＣＡＳカード以上に大きくなってしまう問題がある。
【課題を解決するための手段】
【００１０】
本発明による可搬型携帯機器および、卓上ホルダー機器では、Ｂ−ＣＡＳを、卓上ホルダー機器に格納し、可搬型携帯機器と卓上ホルダー機器間にＢ−ＣＡＳカード用のＩＯユニット用接続コネクタを設け、Ｂ−ＣＡＳカードへのアクセスが可能となるよう構成し、可搬型携帯機器を卓上ホルダー機器に接続して使用する時のみ、フルセグ受信し、それ以外の場合には、ワンセグ受信をおこなうように制御する。
【発明の効果】
【００１１】
本発明による可搬型携帯機器および、卓上ホルダー機器では、Ｂ−ＣＡＳを、卓上ホルダー機器に格納し、可搬型携帯機器と卓上ホルダー機器間にＢ−ＣＡＳカード用のＩＯユニット用接続コネクタを設け、Ｂ−ＣＡＳカードへのアクセスが可能となるよう構成することで、可搬型携帯機器を卓上ホルダー機器に接続して使用する時のみ、フルセグ受信し、それ以外の場合には、ワンセグ受信を行うこととなる。
【００１２】
これにより、携帯電話の形状を大きくすることなく、ワンセグ受信・フルセグ受信の両方に対応することが可能となる。
【００１３】
また、一般にワンセグ受信・フルセグ受信では、ワンセグ受信の方が、フルセグ受信と比較し、電力消費が低く抑えられるため、バッテリーユニットで駆動する場合（通常の携帯電話等での利用時）には、より長時間の地デジ視聴が可能となるという効果もある。
【発明を実施するための最良の形態】
【００１４】
以下、本発明の実施の形態を図面に基づいて詳細に説明する。
【実施例１】
【００１５】
図１は実施例の形態１である。図１のシステムは、携帯電話部２１と、携帯電話用卓上ホルダー部２２から構成されている。
【００１６】
図１のシステムにおいて、携帯電話部２１は、無線通信ユニット１、通信用内蔵アンテナ２、地デジユニット３、地デジ用内蔵アンテナ４、音声入出力ユニット５、キー入力ユニット６、ＣＰＵ７、ＲＡＭ８、プログラムＲＯＭ９、表示ユニット１０、蓄積用メモリ１１、ＩＯユニット１２、バッテリーユニット１３、充電制御ユニット１４から構成されており、ＣＰＵ６を中心に各メモリやユニットが接続されている。
【００１７】
携帯電話用卓上ホルダー部２２は、ＩＣカードＩＦ１５、ＩＣカードスロット１６、Ｂ−ＣＡＳカード１７、バッテリー接続コネクタ部１８、電源接続コネクタ部１９、ＩＯユニット接続コネクタ２０より構成されている。
一般に、地デジ対応携帯電話における地デジ視聴開始の手順は、ユーザがキー入力ユニット６を操作し地デジ視聴モードを選択し、その操作情報がＣＰＵ７で処理され、地デジユニット３に対して、地デジ受信選局を行われる。
【００１８】
地デジユニット３は、地デジ用内蔵アンテナ４からの信号を圧縮デジタルデータに復調し、更に、映像・音声データを分離、伸張（デコード）し、音声は音声入出力ユニット５へ、映像は表示ユニット１０にそれぞれ送られ、実際の映像・音声の視聴が可能となる。
【００１９】
本発明による技術では、上記の地デジユニット３に対して、地デジ受信選局を行われる際、ＩＯユニット１２、充電制御ユニット１４を介して、バッテリーユニット１３が充電中であるか、放電中であるか、又は、ＩＯユニット１２、ＩＣカードＩＦ１５、ＩＣカードスロット１６を介して、Ｂ−ＣＡＳカード１７の情報が取得できるか否か（言い換えれば、携帯電話用卓上ホルダー部２２と接続された状態か）の状態により、ワンセグ受信モードかフルセグ受信モードかを切り替える。
【００２０】
これにより、携帯電話部２１のみでの地デジ視聴は、ワンセグ受信を、携帯電話部２１と携帯電話用卓上ホルダー部２２を接続された状態では地デジ視聴は、フルセグ受信を行うよう自動的地デジ受信モードの切り替えられるようになる。
【００２１】
図２は実施例の形態２である。図２のシステムは、携帯電話部２１と、携帯電話用卓上ホルダー部２２から構成されている。
【００２２】
図２のシステムにおいて、携帯電話部２１は、無線通信ユニット１、通信用内蔵アンテナ２、地デジユニット３、地デジ用内蔵アンテナ４、音声入出力ユニット５、キー入力ユニット６、ＣＰＵ７、ＲＡＭ８、プログラムＲＯＭ９、表示ユニット１０、蓄積用メモリ１１、ＩＯユニット１２、バッテリーユニット１３、充電制御ユニット１４から構成されており、ＣＰＵ６を中心に各メモリやユニットが接続されている。
【００２３】
携帯電話用卓上ホルダー部２２は、ＩＣカードＩＦ１５、ＩＣカードスロット１６、Ｂ−ＣＡＳカード１７、バッテリー接続コネクタ部１８、電源接続コネクタ部１９、ＩＯユニット接続コネクタ２０、映像出力段２３、受光部２４、リモコン受信部２５、地デジ専用外部アンテナ２６、地デジ用アンテナ接続コネクタ部２７、地デジ用外部アンテナ接続コネクタ２８、映像出力コネクタ部２９、ＨＤＭＩ接続コネクタ部３０より構成されている。
【００２４】
一般に、地デジ対応携帯電話における地デジ視聴開始の手順は、ユーザがキー入力ユニット６を操作するか、ユーザがリモコンにより、受光部２４、リモコン受信部２５、ＩＯユニット１２を介して操作するかの何れかにより、地デジ視聴モードを選択し、その操作情報がＣＰＵ７で処理され、地デジユニット３に対して、地デジ受信選局を行われる。
【００２５】
地デジユニット３は、地デジ用内蔵アンテナ４、または、地デジ用アンテナ接続コネクタ部２７を介して得られる地デジ専用外部アンテナ２６からの信号を圧縮デジタルデータに復調し、更に、映像・音声データを分離、伸張（デコード）し、音声は音声入出力ユニット５へ、映像は表示ユニット１０にそれぞれ送られ、実際の映像・音声の視聴が可能となる。
【００２６】
本発明による技術では、上記の地デジユニット３に対して、地デジ受信選局を行われる際、ＩＯユニット１２、充電制御ユニット１４を介して、バッテリーユニット１３が充電中であるか、放電中であるか、又は、ＩＯユニット１２、ＩＣカードＩＦ１５、ＩＣカードスロット１６を介して、Ｂ−ＣＡＳカード１７の情報が取得できるか否か（言い換えれば、携帯電話用卓上ホルダー部２２と接続された状態か）の状態により、ワンセグ受信モードかフルセグ受信モードかを切り替えるとともに、ワンセグ受信モードの場合は、地デジ用内蔵アンテナ４を、フルセグ受信モードの場合は、地デジ用アンテナ接続コネクタ２７、地デジ用外部アンテナ接続コネクタ部２８を介して接続された地デジ用外部アンテナ２６をそれぞれ選択し、更に表示ユニット１０、映像出力コネクタ部２９、映像出力段２３、ＨＤＭＩ接続コネクタ部３０から、外部映像出力として、ＨＤＭＩを出力するか否かの制御を行う。
【００２７】
これにより、携帯電話部２１のみでの地デジ視聴は、ワンセグ受信を、携帯電話部２１と携帯電話用卓上ホルダー部２２を接続された状態では地デジ視聴は、フルセグ受信を行うよう自動的地デジ受信モードの切り替えられるようになると共に、フルセグ受信の時には、地デジ用外部アンテナ２６を利用すると共に、ＨＤＭＩ接続コネクタ部３０の出力を外部のモニタテレビでの視聴が可能となる。
【００２８】
また、ここでは、ＨＤＭＩ出力としてデジタル映像信号のみを示しているが、アナログ映像信号を用いても良いし、ＨＤＭＩ出力に音声信号を合せて出力することも可能であるので、音声入出力ユニット５からのデジタル音声データを含めるよう構成しても良い。
【００２９】
図３は実施例の形態１を示す処理フロー図である。図３は、図１のシステムにおいて、地デジ視聴が選択された際の、フルセグ視聴動作または、ワンセグ視聴動作の判別処理フローであり、地デジ視聴開始３１、Ｂ−ＣＡＳカード情報判定部３２、フルセグ受信動作モード選択部３３、ワンフルセグ受信動作モード選択部３４、フルセグ視聴動作３５、ワンセグ視聴動作３６から構成されている。
【００３０】
この処理フローは、地デジ視聴開始３１後、Ｂ−ＣＡＳカード情報が取得できた場合には、フルセグ視聴動作３５を、Ｂ−ＣＡＳカード情報が取得でない場合には、ワンセグ視聴動作３６を行うようにしたものである。
【００３１】
図４は実施例の形態２を示す処理フロー図である。図４は、図１のシステムにおいて、地デジ視聴が選択された際の、フルセグ視聴動作または、ワンセグ視聴動作の判別処理フローであり、地デジ視聴開始３１、バッテリー動作モード判定部３７、Ｂ−ＣＡＳカード情報判定部３２、フルセグ受信動作モード選択部３３、ワンフルセグ受信動作モード選択部３４、フルセグ視聴動作３５、ワンセグ視聴動作３６から構成されている。
【００３２】
この処理フローは、地デジ視聴開始３１後、バッテリー動作モードの場合は、ワンセグ視聴動作３６を、バッテリー動作モードではない場合で、Ｂ−ＣＡＳカード情報が取得できた場合には、フルセグ視聴動作３５を、バッテリー動作モードではない場合で、Ｂ−ＣＡＳカード情報が取得でない場合には、ワンセグ視聴動作３６を行うようにしたものである。
【００３３】
図５は実施例の形態３を示す処理フロー図である。図５は、図１のシステムにおいて、地デジ視聴が選択された際の、フルセグ視聴動作または、ワンセグ視聴動作の判別処理フローであり、地デジ視聴開始３１、バッテリー動作モード判定部３７、Ｂ−ＣＡＳカード情報判定部３２、ワンセグ受信表示処理３８、フルセグ受信動作モード選択部３３、ワンフルセグ受信動作モード選択部３４、フルセグ視聴動作３５、ワンセグ視聴動作３６から構成されている。
【００３４】
この処理フローは、地デジ視聴開始３１後、バッテリー動作モードの場合は、ワンセグ視聴動作３６を、バッテリー動作モードではない場合で、Ｂ−ＣＡＳカード情報が取得できた場合には、フルセグ視聴動作３５を、バッテリー動作モードではない場合で、Ｂ−ＣＡＳカード情報が取得でない場合には、ワンセグ受信表示処理３８で、「Ｂ−ＣＡＳカードがない為にワンセグ受信を行う旨」を表示した上で、ワンセグ視聴動作３６を行うようにしたものである。
【００３５】
図６は実施例の形態４を示す処理フロー図である。図６は、図１のシステムにおいて、地デジ視聴が選択された際の、フルセグ視聴動作または、ワンセグ視聴動作の判別処理フローであり、地デジ視聴開始３１、バッテリー動作モード判定部３７、Ｂ−ＣＡＳカード情報判定部３２、Ｂ−ＣＡＳカードが無い旨のメッセージ表示処理３９、フルセグ受信動作モード選択部３３、ワンフルセグ受信動作モード選択部３４、フルセグ視聴動作３５、ワンセグ視聴動作３６から構成されている。
【００３６】
この処理フローは、地デジ視聴開始３１後、バッテリー動作モードの場合は、ワンセグ視聴動作３６を、バッテリー動作モードではない場合で、Ｂ−ＣＡＳカード情報が取得できた場合には、フルセグ視聴動作３５を、バッテリー動作モードではない場合で、Ｂ−ＣＡＳカード情報が取得でない場合には、Ｂ−ＣＡＳカードが無い旨のメッセージ表示処理３９で、「Ｂ−ＣＡＳカードがない」旨を表示した上で、Ｂ−ＣＡＳ取得判定部３２での処理の再実行を行うようにしたものである。
【００３７】
図７は実施例の形態５を示す処理フロー図である。図７は、図２のシステムにおいて、地デジ視聴が選択された際の、フルセグ視聴動作または、ワンセグ視聴動作の判別処理フローであり、地デジ視聴開始３１、バッテリー動作モード判定部３７、Ｂ−ＣＡＳカード情報判定部３２、Ｂ−ＣＡＳカードが無い旨のメッセージ表示処理３９、フルセグ受信動作モード選択部３３、ワンフルセグ受信動作モード選択部３４、地デジ用内蔵アンテナ選択処理４０、地デジ用外部アンテナ選択処理４１、映像外部出力の有効化処理部４２、フルセグ視聴動作３５、ワンセグ視聴動作３６から構成されている。
【００３８】
この処理フローは、地デジ視聴開始３１後、バッテリー動作モードの場合は、地デジ用内蔵アンテナ選択処理４０を行い、ワンセグ視聴動作３６を、バッテリー動作モードではない場合で、Ｂ−ＣＡＳカード情報が取得できた場合には、地デジ用外部アンテナ選択処理４１、映像外部出力の有効化処理４２を行い、フルセグ視聴動作３５を、バッテリー動作モードではない場合で、Ｂ−ＣＡＳカード情報が取得でない場合には、Ｂ−ＣＡＳカードが無い旨のメッセージ表示処理３９で、「Ｂ−ＣＡＳカードがない」旨を表示した上で、Ｂ−ＣＡＳ取得判定部３２での処理の再実行を行うようにしたものである。
【００３９】
図８は実施例の形態３である。図８のシステムは、ＧＰＳ部４６と、ＧＰＳ用卓上ホルダー部４７から構成されている。
【００４０】
図８のシステムにおいて、ＧＰＳ部４６は、ＧＰＳユニット４３、ＧＰＳ用アンテナ４４、地デジユニット３、地デジ用内蔵アンテナ４、音声出力ユニット４５、キー入力ユニット６、ＣＰＵ７、ＲＡＭ８、プログラムＲＯＭ９、表示ユニット１０、蓄積用メモリ１１、ＩＯユニット１２、バッテリーユニット１３、充電制御ユニット１４から構成されており、ＣＰＵ６を中心に各メモリやユニットが接続されている。
【００４１】
ＧＰＳ用卓上ホルダー部４７は、ＩＣカードＩＦ１５、ＩＣカードスロット１６、Ｂ−ＣＡＳカード１７、バッテリー接続コネクタ部１８、電源接続コネクタ部１９、ＩＯユニット接続コネクタ２０、地デジ用外部アンテナ２６、地デジ用アンテナ接続コネクタ２７、地デジ用外部アンテナ接続コネクタ２８より構成されている。
【００４２】
一般に、地デジ対応ＧＰＳ（例えば、カーナビゲーションシステム）における地デジ視聴開始の手順は、ユーザがキー入力ユニット６を操作し地デジ視聴モードを選択し、その操作情報がＣＰＵ７で処理され、地デジユニット３に対して、地デジ受信選局を行われる。
【００４３】
地デジユニット３は、地デジ用内蔵アンテナ４、または、地デジ用アンテナ接続コネクタ部２７を介して得られる地デジ専用外部アンテナ２６からの信号を圧縮デジタルデータに復調し、更に、映像・音声データを分離、伸張（デコード）し、音声は音声出力ユニット４５へ、映像は表示ユニット１０にそれぞれ送られ、実際の映像・音声の視聴が可能となる。
【００４４】
本技術では、上記の地デジユニット３に対して、地デジ受信選局を行われる際、ＩＯユニット１２、充電制御ユニット１４を介して、バッテリーユニット１３が充電中であるか、放電中であるか、又は、ＩＯユニット１２、ＩＣカードＩＦ１５、ＩＣカードスロット１６を介して、Ｂ−ＣＡＳカード１７の情報が取得できるか否か（言い換えれば、ＧＰＳ用卓上ホルダー部４７と接続された状態か）の状態により、ワンセグ受信モードかフルセグ受信モードかを切り替えると共に、ワンセグ受信モードの場合は、地デジ用内蔵アンテナ４を、フルセグ受信モードの場合は、地デジ用アンテナ接続コネクタ２７、地デジ用外部アンテナ接続コネクタ部２８を介して接続された地デジ用外部アンテナ２６をそれぞれ選択する。
【００４５】
これにより、ＧＰＳ部４６のみでの地デジ視聴は、ワンセグ受信を、ＧＰＳ部４６とＧＰＳ用卓上ホルダー部４７を接続された状態では地デジ視聴は、地デジ用外部アンテナ２６を利用したフルセグ受信を行うよう自動的地デジ受信モードの切り替えられるようになる。
【００４６】
図９は実施例の形態４である。図９のシステムは、携帯電話部２１と、携帯電話用卓上ホルダー部２２から構成されている。
【００４７】
図９のシステムにおいて、携帯電話部２１は、無線通信ユニット１、通信用内蔵アンテナ２、地デジユニット３、地デジ用内蔵アンテナ４、音声入出力ユニット５、キー入力ユニット６、ＣＰＵ７、ＲＡＭ８、プログラムＲＯＭ９、表示ユニット１０、蓄積用メモリ１１、ＩＯユニット１２、バッテリーユニット１３、充電制御ユニット１４、ＩＣカードＩＦ１５、小型カードスロット４８、小型Ｂ−ＣＡＳカード４９から構成されており、ＣＰＵ６を中心に各メモリやユニットが接続されている。
【００４８】
携帯電話用卓上ホルダー部２２は、バッテリー接続コネクタ部１８、電源接続コネクタ部１９より構成されている。
【００４９】
一般に、地デジ対応携帯電話における地デジ視聴開始の手順は、ユーザがキー入力ユニット６を操作し地デジ視聴モードを選択し、その操作情報がＣＰＵ７で処理され、地デジユニット３に対して、地デジ受信選局を行われる。
【００５０】
地デジユニット３は、地デジ用内蔵アンテナ４からの信号を圧縮デジタルデータに復調し、更に、映像・音声データを分離、伸張（デコード）し、音声は音声入出力ユニット５へ、映像は表示ユニット１０にそれぞれ送られ、実際の映像・音声の視聴が可能となる。
【００５１】
本技術では、上記の地デジユニット３に対して、地デジ受信選局を行われる際、ＩＯユニット１２、充電制御ユニット１４を介して、バッテリーユニット１３が充電中であるか、放電中であるか、又は、ＩＯユニット１２、ＩＣカードＩＦ１５、小型ＩＣカードスロット４８を介して、小型Ｂ−ＣＡＳカード４９の情報が取得できるか否かの状態により、ワンセグ受信モードかフルセグ受信モードかを切り替える。
【００５２】
これにより、携帯電話部２１のみでの地デジ視聴は、ワンセグ受信を、携帯電話部２１と携帯電話用卓上ホルダー部２２を接続された状態では地デジ視聴は、フルセグ受信を行うよう自動的地デジ受信モードの切り替えられるようになる。
【産業上の利用可能性】
【００５３】
可搬型携帯機器および、卓上ホルダー機器において、地デジ受信機能を有するシステムに関するものであり、特にワンセグ・フルセグの両方式に対応したにシステムに利用することができる。
【００５４】
これにより、地デジ受信機能を有する可搬型携帯機器および、卓上ホルダー機器において、使用する状況に応じて、ワンセグ・フルセグの地デジ受信の動作モードを自動的に切り替えられるようになる。
【図面の簡単な説明】
【００５５】
【図１】実施の形態１を示すシステム構成図の例である。
【図２】実施の形態２を示すシステム構成図の例である。
【図３】実施の形態１を示す処理フロー図の例である。
【図４】実施の形態２を示す処理フロー図の例である。
【図５】実施の形態３を示す処理フロー図の例である。
【図６】実施の形態４を示す処理フロー図の例である。
【図７】実施の形態５を示す処理フロー図の例である。
【図８】実施の形態３を示すシステム構成図の例である。
【図９】実施の形態４を示すシステム構成図の例である。
【図１０】従来の技術による実施の形態を示すシステム構成図である。
【符号の説明】
【００５６】
１  無線通信ユニット
２  通信用内蔵アンテナ
３  地デジユニット
４  地デジ用内蔵アンテナ
５  音声入出力ユニット
６  キー入力ユニット
７  CPU
８  RAM
９  プログラムROM
１０  表示ユニット
１１  蓄積用メモリ
１２  ＩＯユニット
１３  バッテリーユニット
１４  充電制御ユニット
１５  ＩＣカードＩＦ
１６  ＩＣカードスロット
１７  Ｂ−ＣＡＳカード
１８  バッテリー接続コネクタ部
１９  電源接続コネクタ部
２０  ＩＯユニット接続コネクタ部
２１  携帯電話部
２２  携帯電話用卓上ホルダー部
２３  映像出力段
２４  受光部
２５  リモコン受信部
２６  地デジ用外部アンテナ
２７  地デジ用アンテナ接続コネクタ部
２８  地デジ用外部アンテナ接続コネクタ部
２９  映像出力接続コネクタ部
３０  ＨＤＭＩ接続コネクタ部
３１  地デジ視聴開始
３２  Ｂ−ＣＡＳカード情報判定部
３３  フルセグ受信動作モード選択部
３４  ワンセグ受信動作モード選択部
３５  フルセグ視聴動作
３６  ワンセグ視聴動作
３７  バッテリー動作モード判定部
３８  ワンセグ受信表示処理
３９  Ｂ−ＣＡＳカードが無い旨のメッセージ表示処理
４０  地デジ用内蔵アンテナ選択処理
４１  地デジ用外部アンテナ選択処理
４２  映像外部出力の有効化処理
４３  ＧＰＳユニット
４４  ＧＰＳ用アンテナ
４５  音声出力ユニット
４６  ＧＰＳ部
４７  ＧＰＳ用卓上ホルダー部
４８  小型ＩＣカードスロット
４９  小型Ｂ−ＣＡＳカード
【図１】
0005124354.tif 000002
【図２】
0005124354.tif 000003
【図３】
0005124354.tif 000004
【図４】
0005124354.tif 000005
【図５】
0005124354.tif 000006
【図６】
0005124354.tif 000007
【図７】
0005124354.tif 000008
【図８】
0005124354.tif 000009
【図９】
0005124354.tif 000010
【図１０】
0005124354.tif 000011